(57)【要約】【課題】見栄えが良く、且つ使い勝手に優れた眼鏡を提供することを課題とする。【解決手段】本考案の眼鏡は、左右一対のテンプル６にそれぞれ連結された左右一対のリム２１及び該左右一対のリム２１を連結するブリッジ部２２を具備する前枠２と、前記左右一対のリム２１の前面又は後面に重なり合うように、前記前枠２に対して着脱自在に取り付けられた左右一対の補助レンズ３とを備え、前記左右一対の補助レンズ３は、前記前枠２に沿って互いに独立して回動可能に前記前枠２に枢着されている。【選択図】  図１  
0003118223.tif 000002
【実用新案登録請求の範囲】
【請求項１】
左右一対のテンプルにそれぞれ連結された左右一対のリム及び該左右一対のリムを連結するブリッジ部を具備する前枠と、
前記左右一対のリムの前面又は後面に重なり合うように、前記前枠に対して着脱自在に取り付けられた左右一対の補助レンズとを備え、
前記左右一対の補助レンズは、前記前枠に沿って互いに独立して回動可能に前記前枠に枢着されていることを特徴とする眼鏡。
【請求項２】
前記前枠は、左右一対の突起部を具備し、
前記補助レンズは、前記突起部に対して回動可能に係合する係合孔を具備することを特徴とする請求項１に記載の眼鏡。
【請求項３】
前記突起部は、前記ブリッジ部に設けられ、
前記係合孔は、前記補助レンズの内側端部に設けられていることを特徴とする請求項２に記載の眼鏡。
【請求項４】
前記補助レンズの外側端部及び前記リムの外側端部の何れか一方に磁石が設けられると共に、前記補助レンズの外側端部及び前記リムの外側端部の何れか他方に前記磁石と磁着する磁着手段が設けられていることを特徴とする請求項３に記載の眼鏡。
【請求項５】
前記補助レンズは、サングラスレンズであり、
前記左右一対のリムには、それぞれ度付きレンズが装着されていることを特徴とする請求項１から４の何れかに記載の眼鏡。
【考案の詳細な説明】
【技術分野】
【０００１】
本考案は、補助レンズを備える眼鏡に関し、特に、必要に応じて、当該補助レンズを眼鏡のリムと重ね合わせて使用することが可能な眼鏡に関する。
【背景技術】
【０００２】
近年、複数の用途で使用可能な、補助レンズを備える眼鏡が提案されている。補助レンズを備える眼鏡の代表的なものとして、跳ね上げ式の前掛け眼鏡セットを挙げることができる（特許文献１参照）。斯かる前掛け眼鏡セットは、主レンズが装着される眼鏡と、補助レンズが装着される前掛け眼鏡とから構成されている。
【０００３】
補助レンズが装着される前掛け眼鏡は、側面視において、時計回り又は反時計回りに回動可能に眼鏡の上端に取り付けられている。このように回動可能に取り付けられることにより、前掛け眼鏡は、補助レンズが主レンズの前面と重なる状態と、補助レンズが眼鏡の上端から水平方向前方に突出し、補助レンズと主レンズとが重ならない状態とを取ることが可能となっている。
【０００４】
斯かる主レンズと補助レンズには、前掛け眼鏡セットの用途に応じた各種のレンズを使用することが可能である。例えば、主レンズには透明な度付きレンズを使用し、補助レンズにはサングラスレンズを使用することが可能である。主レンズに度付きレンズが使用され、補助レンズにサングラスレンズが使用される場合、主レンズと補助レンズとが重なる状態にすると、前掛け眼鏡セットを度付きサングラスとして使用することができ、また、重ならない状態にすると、前掛け眼鏡セットを度付き眼鏡として使用することができる。
【特許文献１】特開平９−１７１１６１号公報
【考案の開示】
【考案が解決しようとする課題】
【０００５】
しかし、主レンズと補助レンズとが重ならない状態にして前掛け眼鏡セットを使用する場合、前掛け眼鏡が水平方向前方に突出した状態になるため、見栄えが良くないという問題がある。
【０００６】
また、従来の前掛け眼鏡セットは、必ずしも使い勝手に優れたものではなかった。即ち、前掛け眼鏡が前方に突出すると、この突出した前掛け眼鏡が邪魔となって物を近くで見ることができないという問題がある。また、前掛け眼鏡を回動させると、その勢いで、前掛け眼鏡セット全体が上下や左右にぶれてしまう場合があり、前掛け眼鏡セットの使用中に、このようなぶれが発生すると、使用者に不快感を与えるという問題もある。
【０００７】
本考案は、斯かる従来技術の問題点を解決するべくなされたものであり、見栄えが良く、且つ使い勝手に優れた眼鏡を提供することを課題とする。
【課題を解決するための手段】
【０００８】
前記課題を解決するべく、本考案は、左右一対のテンプルにそれぞれ連結された左右一対のリム及び該左右一対のリムを連結するブリッジ部を具備する前枠と、前記左右一対のリムの前面又は後面に重なり合うように、前記前枠に対して着脱自在に取り付けられた左右一対の補助レンズとを備え、前記左右一対の補助レンズは、前記前枠に沿って互いに独立して回動可能に前記前枠に枢着されていることを特徴とする眼鏡を提供するものである。
【０００９】
本考案に係る眼鏡は、左右一対のリムの前面又は後面に重なり合うように、前枠に対して着脱自在に取り付けられた左右一対の補助レンズを備え、この補助レンズが前枠に沿って回動可能に枢着されている。換言すれば、本考案に係る眼鏡の正面視において、補助レンズが時計回り又は反時計回りに回動可能とされている。従って、補助レンズを通さずにリムの内側（例えば、リムに装着されたレンズ）のみを通して物を見るべく、リムの前面又は後面に重なり合わない位置に補助レンズを回動させても、従来の跳ね上げ式の前掛け眼鏡セットと異なり補助レンズが前方に突出することがないため、見栄えが良好である。また、補助レンズが前方に突出しないので、物を近付けて見たり或いは物に近付いて見たりする際に、補助レンズが邪魔になることがない。
【００１０】
また、本考案に係る眼鏡は、左右一対の補助レンズが、前記前枠に沿って互いに独立して回動可能とされている。各補助レンズの重量は、従来の前掛け眼鏡全体の重量よりも軽量化できるため、各補助レンズを個別に回動させることにより生じる運動量は、従来の前掛け眼鏡全体を一度に回動させることにより生じる運動量よりも小さい。従って、補助レンズを回動させることにより生じる眼鏡のぶれを従来よりも小さくすることが可能である。
【００１１】
補助レンズを回動可能に前枠に枢着させる具体的構成としては、例えば、前記前枠が左右一対の突起部を具備し、前記補助レンズが前記突起部に対して回動可能に係合する係合孔を具備する構成を採用することができる。
【００１２】
より具体的には、前記突起部は、前記ブリッジ部に設けられ、前記係合孔は、前記補助レンズの内側端部に設けられる構成を採用可能である。
【００１３】
また、好ましくは、前記補助レンズの外側端部及び前記リムの外側端部の何れか一方に磁石が設けられると共に、前記補助レンズの外側端部及び前記リムの外側端部の何れか他方に前記磁石と磁着する磁着手段が設けられる構成を採用してもよい。
【００１４】
斯かる好ましい構成によれば、補助レンズとリムとの磁着によって、リムの前面又は後面と補助レンズとを重ね合わせた状態を安定化させることができる。
【００１５】
なお、補助レンズをサングラスレンズとし、左右一対のリムに装着されるレンズを度付きレンズとすれば、本考案に係る眼鏡は、度付きサングラスとして提供されることになる。
【考案の効果】
【００１６】
本考案の眼鏡は、補助レンズが前方に突出することなく回動可能であるので、見栄えが良好であり、又、物を近くで見ることができる。さらに、各補助レンズを互いに独立して回動させることができるので、眼鏡を大きくぶれさせることなく、リムの内側を通して物を見たり、補助レンズとリムの内側を通して物を見たりすることができる。以上のように、本考案によれば、見栄えが良く且つ使い勝手に優れた眼鏡を提供することができる。
【考案を実施するための最良の形態】
【００１７】
以下、添付図面を参照しつつ、本考案の一実施形態に係る眼鏡について説明する。図１は本実施形態に係る眼鏡の外観図である。図１（ａ）は本実施形態に係る眼鏡の正面図であり、図１（ｂ）は本実施形態に係る眼鏡の平面図である。図１に示すように、本実施形態に係る眼鏡１は、左右一対のテンプル６にそれぞれ連結された左右一対のリム２１及び該左右一対のリム２１を連結するブリッジ部２２を具備する前枠２と、左右一対のリム２１の前面又は後面（本実施形態では前面）に重なり合うように、前枠２に対して着脱自在に取り付けられた左右一対の補助レンズ３とを備えている。そして、左右一対の補助レンズ３は、前枠２に沿って互いに独立して回動可能に前枠２に枢着されている。
【００１８】
図２は、左右一対の補助レンズ３が取り外された状態の眼鏡１の外観図である。図２（ａ）は正面図であり、図２（ｂ）は前枠２が具備する突起部付近の拡大図である。図２（ａ）に示すように、前枠２は、前述のように左右一対のリム２１と、ブリッジ部２２とを具備する他、左右一対の突起部２３と、磁石２４とを具備する。
【００１９】
左右一対の各リム２１は、環状に形成されており、それぞれ内部に透過性部材Ｌが装着可能となっている。この透過性部材Ｌは、特に限定されるものでなく、度付きレンズ、サングラスレンズ、度の無い透明な部材等を用いることができる。左右一対のリム２１の外側には、ヨロイ４が形成されている。本実施形態においては、ヨロイ４は、前枠２と一体物として形成されている。この左右の各ヨロイ４は、丁番構造５（図１（ｂ）参照）を介してテンプル６と連結されている。さらに、左右一対のリム２１の内側には、左右一対の鼻パッド７が取り付けられている。
【００２０】
左右一対の各突起部２３は、左右一対の各補助レンズ３を回動可能に係合するものである。左右一対の各突起部２３は、ブリッジ部２２の前面に設けられている。図２（ｂ）に示すように、突起部２３は、ブリッジ部２２の前面に立設された円柱状の本体部２３ａと、該本体部２３ａの前端部に形成され、本体部２３ａよりも径が大きく、且つ、外縁が、本体部２３ａの外縁と同心円になる円柱状の脱落防止部２３ｂとを具備する。
【００２１】
磁石２４は、左右一対の補助レンズ３を前枠２に磁着させるためのものである。本実施形態では、磁石２４は、左右一対の各リム２１の外側端部に設けられている。なお、各リム２１における磁石２４が設けられる位置は、特に限定されるものでなく、使用者の視界の確保やデザイン性などを考慮して決定することができる。
【００２２】
図３は、左右一対の補助レンズ３の外観図である。図３（ａ）は左右一対の補助レンズ３の正面図であり、図３（ｂ）は補助レンズ３に設けられた係合孔付近の拡大図である。補助レンズ３に使用されるレンズは、特に限定されるものでなく、例えば、サングラスレンズ、度付きレンズ等を用いることができる。左右一対の各補助レンズ３は、突起部２３と係合する係合孔３３と、磁石２４と磁着可能な磁着手段３４とを備えている。
【００２３】
係合孔３３は、左右一対の補助レンズ３の内側端部に設けられている。図３（ｂ）に示すように、係合孔３３は、入口部３３ａと奥部３３ｂとで構成されている。入口部３３ａは、補助レンズ３の外周縁から内側に形成され、その幅が突起部２３の本体部２３ａの径より若干狭く形成されている。奥部３３ｂは、該入口部３３ａの奥（内側）に形成され、その径が本体部２３ａと略等しい略円状に形成されている。
【００２４】
各補助レンズ３を前枠２に回動可能に係合させる場合は、突起部２３の本体部２３ａが補助レンズ３の係合孔３３に差し込まれるように、補助レンズ３を動かせばよい。突起部２３の本体部２３ａが係合孔３３の奥部３３ｂにはまり込む位置まで係合孔３３が差し込まれると、突起部２３の本体部２３ａと奥部３３ｂとが係合し、各補助レンズ３は、前枠２に沿って回動可能に突起部２３に枢着されることになる。換言すれば、図４に示すように、各補助レンズ３は、眼鏡１の正面視において、突起部２３を中心にして、時計回り（矢印Ａ方向）又は反時計回り（矢印Ｂ方向）に回動可能な状態となる。
【００２５】
上記したように係合孔３３の入口部３３ａの幅は、突起部２３の本体部２３ａより狭く形成されているので、突起部２３の本体部２３ａと奥部３３ｂとが係合した状態では、補助レンズ３が回動しても、突起部２３の本体部２３ａが入口部３３ａから容易に抜けにくい。さらに、奥部３３ｂの径が突起部２３の本体部２３ａと略等しいため、突起部２３の本体部２３ａと奥部３３ｂとが係合した状態では、突起部２３の前端の脱落防止部２３ｂによって、補助レンズ３が突起部２３の前方へ外れない。
【００２６】
また、奥部３３ｂと突起部２３の本体部２３ａとの係合を解除するには、補助レンズ３又は前枠２を引っ張って、突起部２３の本体部２３ａを係合孔３３の入口部３３ａから取り外せばよい。このように、補助レンズ３は、前枠２に着脱自在に取り付けることができるので、ユーザの好みやＴＰＯに応じて前枠２に取り付ける補助レンズ３を取り替えることができる。
【００２７】
一方、磁着手段３４は、ステンレス等の磁性体や、磁石２４と互いに引き付け合う方向に磁極の向きが設定された磁石で形成されている。本実施形態では、磁着手段３４は、補助レンズ３の後面に設けられている。上記のように、本実施形態では、突起部２３がブリッジ部２２の前面に形成されており、係合孔３３と突起部２３との係合によって補助レンズ３は、前枠２の前面に取り付けられることになる。よって、係合孔３３と突起部２３とを係合させると、補助レンズ３の後面と前枠２の前面とが対面した状態になるため、磁着手段３４を補助レンズ３の後面に設けると、磁着手段３４が前枠２に設けられた磁石２４と磁着可能となる。なお、磁着手段３４が設けられる補助レンズ３の後面における位置は、補助レンズ３がリム２１と重なり合った状態において、磁着手段３４が磁石２４と磁着可能な位置であればよい。本実施形態においては、磁着手段３４が設けられる位置は、各補助レンズ３の後面の外側端部となっている。このように、磁着手段３４が、補助レンズ３とリム２１とが重なり合った状態において、磁石２４と磁着可能な位置に設けられることで、磁着手段３４と磁石２４との磁着によって、リム２１と補助レンズ３とが重なり合った状態を安定化させることができる。
【００２８】
なお、本実施形態では、磁石２４が前枠２に設けられ、磁着手段３４が補助レンズ３に設けられた構成について説明したが、磁石２４が補助レンズ３に設けられ、磁着手段３４が前枠２に設けられる構成であってもよい。
【００２９】
以上の構成を有する眼鏡１の使用方法について説明する。例えば、補助レンズ３をリム２の前面に重ね合わせて、透過性部材Ｌと補助レンズ３とを通して物を見ることができる状態で眼鏡１を使用しているときに、透過性部材Ｌのみを通して物を見たい場合は、使用者は、図４に示すように、補助レンズ３をリム２１の前面と重なり合わない位置に回動させる。これにより、使用者は、透過性部材Ｌのみを通して物を見ることができる。上記のように、補助レンズ３は、前枠２に沿って回動するため、透過性部材Ｌのみを通して物を見るべく、リム２１の前面に重なり合わない位置に補助レンズ３を回動させても、補助レンズ３が眼鏡１の前方に突出することがないため、見栄えが良好である。
【００３０】
また、補助レンズ３が前方に突出しないために、物を近付けて見たり或いは物に近付いて見たりする際に、補助レンズ３が邪魔になることがないため、物を近くで見ることができる。さらに、本実施形態の眼鏡１においては、左右一対の補助レンズ３は、それぞれの係合孔３３と係合する突起部２３を中心に回動可能に枢着されるため、互いに独立して回動することができる。各補助レンズ３の重量は、従来の前掛け眼鏡全体の重量よりも軽量化できるため、各補助レンズ３を個別に回動させることにより生じる運動量は、従来の前掛け眼鏡全体を一度に回動させることにより生じる運動量よりも小さい。従って、個別に補助レンズ３を回動させることにより、大きなぶれを生じさせることなく、リム２１の内側を通して物を見たり、補助レンズ３とリム２１の内側を通して物を見たりすることができる。
【００３１】
本実施形態の眼鏡１の一使用例として、補助レンズ３にサングラスレンズを用い、リム２１に装着される透過性部材Ｌに度付きレンズを用いることが挙げられる。この場合、補助レンズ３がリム２１と重なり合った状態では、眼鏡１を度付きサングラスとして使用することができ、補助レンズ３がリム２１と重なり合わない状態では、眼鏡１を度付き眼鏡として使用することができる。また、眼鏡１は、リム２１に透過性部材Ｌを装着せずに使用してもよく、例えば、透過性部材Ｌをリム２１に装着せず、補助レンズ３にサングラスレンズや度付きレンズを用いて使用することもできる。
【００３２】
本実施形態では、補助レンズ３が、リム２１の前面に重なり合うように、突起部２３がブリッジ部２２の前面に、磁着手段３４が補助レンズ３の後面に設けられた構成に付いて説明したが、本考案の眼鏡は、補助レンズ３を、リム２１の後面に重なり合う構成を採用することも可能である。補助レンズ３をリム２１の後面に重なり合う構成を採用する場合は、例えば、突起部２３をブリッジ部２３の後面に形成し、磁着手段３４を補助レンズ３の前面に設ける構成を採ることができる。
【００３３】
また、本実施形態では、左右一対の突起部２３がブリッジ部２２に形成されている構成について説明したが、突起部２３が形成される位置は、前枠２においては特に限定されるものでなく、例えば、左右の各リム２１の外側端部などに設けることも可能である。
【図面の簡単な説明】
【００３４】
【図１】図１は、本発明の実施形態に係る眼鏡の外観図である。図１（ａ）は、本実施形態に係る眼鏡の正面図であり、図１（ｂ）は、本実施形態に係る眼鏡の平面図である。
【図２】図２は、左右一対の補助レンズが取り外された状態の本実施形態に係る眼鏡の外観図である。図２（ａ）は、正面図であり、図２（ｂ）は、突起部付近の拡大図である。
【図３】図３は、左右一対の補助レンズの外観図である。図３（ａ）は、左右一対の補助レンズの正面図であり、図３（ｂ）は、係合孔付近の拡大図である。
【図４】図４は、補助レンズが前枠に沿って回動可能であることを説明するための図である。
【符号の説明】
【００３５】
１  眼鏡
２  前枠
２１  リム
２２  ブリッジ部
２３  突起部
２４  磁石
３  補助レンズ
３３  係合孔
３４  磁着手段
【図１】
0003118223.tif 000003
【図２】
0003118223.tif 000004
【図３】
0003118223.tif 000005
【図４】
0003118223.tif 000006